(57)【特許請求の範囲】
【請求項１】
平行な二本のガイドレールと、ガイドレール間に各ガイドレールに沿ってスライド自在に架設された複数の平行なアーチ状支持フレームと、隣接する一対の各支持フレーム間に各支持フレームに沿ってスライド自在に展張されたシートとからなるオーニング装置において、各支持フレームの側面に各支持フレーム沿って上，中，下、三つのガイド溝を隔設し、隣接する各支持フレーム間に伸縮駆動機構を設け、当該伸縮駆動機構は各支持フレーム間に基端を回転自在に取付けた平行な二つの折り畳み自在な水平フレームと、二つの水平フレームの中間間にヒンジ結合された縦フレームと、一方の水平フレームと縦フレーム間に折り畳み自在に架設された一対の斜材とから構成され、更に上記中央の各ガイド溝に上記シートの端部をスライド自在に挿入し、上記各上側ガイド溝に上記二つの各水平フレームの端部に回転自在に取り付けたガイドをスライド自在に挿入してなるオーニング装置。
【請求項２】
二つの水平フレームの左右両端は支持フレームに取付けた上下二つのガイドのそれぞれにヒンジ結合されると共に中間にヒンジ結合部を設け、縦フレームの上下両端は上記ヒンジ結合部にそれぞれヒンジ結合され、縦フレームの上部にはソケットをスライド自在に挿入し、各斜材の基端は上記一方の水平フレームを取付ける下側ガイドにヒンジ結合されると共に先端を上記ソケットの左右両側にヒンジ結合させている請求項１のオーニング装置。
【請求項３】
各支持フレーム間にシートのたるみを防止するワイヤが架設されている請求項１又は２のオーニング装置。
【請求項４】
下側のガイド溝にワイヤの基端を取付けるナットを挿入させている請求項３のオーニング装置。
【請求項５】
ガイドレールの下部を枠組足場上に設置し、枠組足場の外側にガイドパイプを複数平行に起立させ、この各ガイドパイプの側面に設けたガイド溝に枠組足場を覆うシートの端部をそれぞれ上下スライド自在に挿入させている請求項１，２，３又は４のオーニング装置。
【発明の詳細な説明】
【０００１】
【発明の属する技術分野】
本発明は土木工事，建築工事などの工事現場上に設置されたり、又はプール，遊技場等の屋根として設置された移動自在で伸縮可能なオーニング装置に関する。
【０００２】
【従来技術】
土木，建築等の工事現場では雨，風をしのぐためにシートを展張したオーニング装置を設置して天候に関係なく工事を進めている。又プール，遊技では雨の日でも競技を行なったり、遊技が行なえるように屋根を兼ねたオーニング装置を設置している。
【０００３】
更に上記オーニング装置は太陽光線を内部に導いたり、内部の換気，温度調節する場合にはシートを収縮させたり、シートを展張しているフレームをガイドレールに沿って移動させたりしている。
【０００４】
上記のようなオーニング装置としては、例えば特許第２５８５１７４号公報に開示されたものが開発されている。
【０００５】
このオーニング装置は足場上にガイドレールを設置し、このガイドレール上にアーチ状フレームを移動自在に設置し、各アーチ状フレーム間にシートを展張し、天候，気象条件によってアーチ状フレームをガイドレールに沿って移動して太陽光線，風雨または降雪を遮断するものである。
【０００６】
【発明が解決しようとする課題】
しかしながら、上記のオーニング装置ではシートを全体又は部分的に伸縮させる機構を備えていない為、オーニング装置自体を部分的に開閉することができない不具合がある。又シートを部分的に開閉するオーニング装置が一部開発されているが、シートの伸縮機構として良好なものが無い。そこで、本発明の目的は、シートを簡単、且つスムースに全体的又は部分的に伸縮でき、作業性が良く、経済性、にもすぐれたオーニング装置を提供することができる。
【０００７】
【課題を解決する為の手段】
上記の目的を達成するため、本発明の手段は、平行な二本のガイドレールと、ガイドレール間に各ガイドレールに沿ってスライド自在に架設された複数の平行なアーチ状支持フレームと、隣接する一対の各支持フレーム間に各支持フレームに沿ってスライド自在に展張されたシートとからなるオーニング装置において、各支持フレームの側面に各支持フレーム沿って上，中，下、三つのガイド溝を隔設し、隣接する各支持フレーム間に伸縮駆動機構を設け、当該伸縮駆動機構は各支持フレーム間に基端を回転自在に取付けた平行な二つの折り畳み自在な水平フレームと、二つの水平フレームの中間間にヒンジ結合された縦フレームと、一方の水平フレームと縦フレーム間に折り畳み自在に架設された一対の斜材とから構成され、更に上記中央の各ガイド溝に上記シートの端部をスライド自在に挿入し、上記各上側ガイド溝に上記二つの各水平フレームの端部に回転自在に取り付けたガイドをスライド自在に挿入してなるものである。
【０００８】
この場合、二つの水平フレームの左右両端は支持フレームに取付けた上下二つのガイドのそれぞれにヒンジ結合されると共に中間にヒンジ結合部を設け、縦フレームの上下両端は上記ヒンジ結合部にそれぞれヒンジ結合され、縦フレームの上部にはソケットをスライド自在に挿入し、各斜材の基端は上記一方の水平フレームを取付ける下側ガイドにヒンジ結合されると共に先端を上記ソケットの左右両側にヒンジ結合させているのが好ましい。
【０００９】
同じく、各支持フレーム間にシートのたるみを防止するワイヤが架設されていても良い。
【００１０】
同じく、下側のガイド溝にワイヤの基端を取付けるナットを挿入させている野が好ましい。
【００１１】
同じく、ガイドレールの下部を枠組足場上に設置し、枠組足場の外側にガイドパイプを複数平行に起立させ、この各ガイドパイプの側面に設けたガイド溝に枠組足場を覆うシートの端部をそれぞれ上下スライド自在に挿入させていてもよい。
【００１２】
【発明の実施の形態】
以下、本発明の実施の形態を、図にもとづいて説明する。
【００１３】
図１に示すように本発明に係るオーニング装置Ａは工事中，建築中の建築物Ｂの両側に配設した枠組足場Ｃ上に設置され、天候，気象条件に関係なく建築工事を行なえるようになっている。
【００１４】
枠組足場Ｃは図１，図３，図８に示すように、横方向に沿って多数起立する枠組フレーム１と枠組フレーム１間に水平に架設した足場板２と、枠組フレーム１の上方外側に設けた足場板３及び手摺手とで構成されている。枠組足場Ｃは図示のものに限定されず、他の足場，支保工であってもよい。
【００１５】
枠組足場Ｃの外側にはシート支持フレーム５が多数起立し、このシート支持フレーム５は枠組フレーム１に横方向に取付けた水平な支持桿６とクランプ７を介して結合されている。シート支持フレーム５，５には左右両側に縦方向に溝８が形成され、各溝８にはシート９の端部が固定され、又は上下スライド自在に挿入され、このシート９は枠組足場Ｃに対する風，雨の侵入を防止し、又工具の落下防止，作業者の安全等も図っている。又、このシートは換気するような場合には下方又は上方に溝８に沿ってスライドして全体又は一部を開口するようにしている。
【００１６】
図９に示すように、シート支持フレーム５は背面側に縦方向に沿う溝１０が形成され、この溝１０にはクランプ７側から突出する止め具１１をスライド自在に挿入し、ナット１２で任意の位置に締結するようにしている。シート支持フレーム５はクランプ７に回転自在に結合した他のクランプで直接結合してもよい。
【００１７】
更に図８に示すように、枠組足場Ｃを構成するる枠組フレーム１、手摺４には上下方向に沿って多数の多孔のフランジ１３を取付け、このフランジ１３を介して横方向のフレームを結合してもよい。
【００１８】
図１，図８に示すように、左右の枠組足場Ｃにおける枠組フレーム１の上端には上下移動自在なジャッキ１４が組付けられており、このジャッキ１４上には枠組足場Ｃに沿って長手方向にガイドレール１５，１５が敷設され、このガイドレール１５，１５には多数のアーチ状支持フレーム１６の基端がローラ４７を介してスライド自在に取付けられている。即ち、左右のガイドレール１５，１５には各アーチ状支持フレーム１６が移動自在に取付けられている。
【００１９】
即ち、本発明に係るオーニング装置Ａは、図１乃至図７に示すように、平行な二本のガイドレール１５，１５と、ガイドレール１５，１５間に各ガイドレール１５に沿ってスライド自在に架設された複数の平行なアーチ状支持フレーム１６と、隣接する一対の各支持フレーム１６間に各支持フレーム１６に沿ってスライド自在に展張されたシート１７とからなっている。
更に、各支持フレーム１６，１６の側面に各支持フレーム沿って上，中，下、三つのガイド溝３０，３１，３２を隔設し、隣接する各支持フレーム１６間に伸縮駆動機構Ｓを設け、当該伸縮駆動機構Ｓは各支持フレーム１６間に基端を回転自在に取付けた平行な二つの折り畳み自在な水平フレーム１８，１９と、二つの水平フレーム１８，１９の中間間にヒンジ結合された縦フレーム２０と、下方の水平フレーム１６と縦フレーム２０間に折り畳み自在に架設された一対の斜材２１，２１とから構成され、更に上記中央の各ガイド溝３１に上記シート１７の端部をスライド自在に挿入し、上記各上側ガイド溝３０に上記二つの各水平フレーム１８，１９の端部に回転自在に取り付けたガイド２２，２３をスライド自在に挿入している。
【００２０】
更に詳しく述べると、二つの上下水平フレーム１８，１９の左右両端は支持フレーム１６，１６にスライド自在に取付けると共に任意の位置で固定された上下二つのガイド２２，２３のそれぞれに回転自在にヒンジ結合されると共に中間Ｐにヒンジ結合部２５，２６を設け、縦フレーム２０の上下両端は上記ヒンジ結合部２５，２６にそれぞれヒンジ結合されている。縦フレームの上部には筒状のソケット２７をスライド自在に挿入し、各斜材２１，２１の基端は上記下方の水平フレーム１９を取付ける下側ガイド２３にヒンジ結合されると共に先端を上記ソケット２７の左右両側ブラケットにヒンジ結合させている。
【００２１】
上記の場合、二つのガイド２２，２３は後述するように支持フレーム１６にスライド自在に嵌合すると共に任意の位置で固定できるようになっている。
【００２２】
更に各支持フレーム１６間にシート１７の下方においてシート１７のたるみを防止するワイヤが架設されている。又、各支持フレーム１６間の下方には水平方向に向けて支持パイプ２８が着脱自在に架設されており、この支持パイプ２８には紐等からなる連結部材２９を介して縦フレーム２０の下方ヒンジ部材２６が結合されている。支持パイプ２８はシート１７を展張した時は支持フレーム１６に結合されていて縦フレーム２０を引張っており、シート１７を収縮する時は支持フレーム１６からはずし、縦フレーム２０に対する引張りを中断する。
【００２３】
各支持フレーム１６の側面には図５，図６，図７に示すように、各支持フレーム１６に沿って上，中，下三つのガイド溝３０，３１，３２を隔設し、中央のガイド溝３１にシート１７の端部をスライド自在に挿入し、上側のガイド溝３０に各水平フレーム１８，１９を取付けた上下二つのガイド２２，２３をスライド自在に挿入し、下側のガイド溝３２にワイヤＹの左右基端を取付けるナットＮを挿入させている。上下のガイド溝３０，３２は断面Ｃ型の蟻溝であり、中央のガイド溝３１は斜め方向に向く断面Ｕ字状の溝であるが、いずれにしても挿入した部材が内側に抜けないようにする溝であるのが必要である。
【００２４】
上下の二つのガイド２２，２３は下方ガイド２３は溝３０にスライド自在に嵌合するガイド本体２３ａと、ガイド本体２３ａに一体に設けた板状ブラケット２３ｂとからなり、ブラケット２３ｂには下方の水平フレーム１９と斜材２１の下端に設けたアイブラケット１９ａ，２１ａがボルト３３，３４を介して回転自在にヒンジ結合されている。
【００２５】
ガイド本体２３ａにはスプリング３５で附勢された支持桿３６が伸縮自在に挿入され、ガイド２３をガイド溝３０の任意の位置までスライドした時スプリング３５で押出された支持桿３６の端部止め具３７がガイド溝３０の内壁に形成した止め孔３８に嵌合して位置決めされるようになっている。止め孔３８の反対方向から支持桿３６をスプリング３５に抗して押せば支持桿３６を再び任意の位置までスライド出来る。
【００２６】
ワイヤＹの端部にはターンバックル３９等からなる張力調節又は長さ調節自在な連結部材が設けられ、ターンバックル３９の端部には溝３２内に嵌合する止め板４１と、止め板４１を締め付けるナット４０とを設け、ナット４０と止め板４１を介してワイヤＹを溝３２の任意の位置に固定するようになっている。
【００２７】
図６に示すように、支持パイプ２８の左右端部にはねじ桿２８ａとナット２８ｂとが設けられ、ねじ桿２８ａを支持フレーム１６に設けた孔４２に挿入してナット２８ｂで着脱自在に結合している。尚、縦フレーム２０等の伸縮駆動機構Ｓは支持フレーム１６に沿って一つ又は複数組付けられる。その数はオーニング装置の大きさによって選択されるものである。
【００２８】
次に作動について述べる。工事現場上にシートを張って雨よけ，雪よけ等を行なう場合にはシート１７を展張し、太陽光線を内部に照射させたり、換気を行なう場合にはガイドレール１５に沿って支持フレーム１６を一方向にスライドさせ、シート１７全体又は一部分を収縮させる。
【００２９】
支持フレーム１６はシート１７を展張又は伸縮した状態で一部又は全体をガイドレール１５に沿って移動できる。
【００３０】
シート１７を各支持フレーム１６間に装着する場合は、支持フレーム１６の中間のガイド溝３１内にシート１７の上端を挿入し、この状態で紐等で例えば右方向から左方向に向けて引張る人と支持フレーム１６に沿ってシート１７が移動して装着される。シート１７の交換、又は取りはずす場合には上記と逆に下端を下方に引張って左方向から右方向にスライドさせて引き抜けば良い。展張されたシート１７の両端は枠組足場側のシート９上に重ねて垂れ下げることによりシート１７，９上の雨水は地上にスムースに流下する。
【００３１】
図１，図２はシート１７が展張され、ね隣接する二つの支持フレーム１６，１６が開いている状態を示している。この状態ではシート１７は下方においてワイヤＹで数ケ所支持され、シート１７のたるみ、風によるばた付き等を防止させている。又、この状態では支持パイプ２８は支持フレーム１６に固定されており、紐２９で縦フレーム２０を引き寄せていることにより水平フレーム１８，１９と縦フレーム２０と、斜材２１，２１の形がくずれず、外力を受けても支持フレーム１６が動かず、従ってシート１７は収縮しない。
【００３２】
次に例えばシート１７の全体又は一部分を収縮し、その収縮分の隙間を隙間を工事現場上に形成する場合には次のようにして行なう。
【００３３】
先ず、支持フレーム２８を支持フレーム１６からはずし、この支持フレーム２８に対する紐２９をはずす。次いで、縦フレーム２０を押し上げ、又は上方から引き上げると、縦フレーム２０がソケット２７を貫通して上方に移動し、この時水平フレーム１８，１９は中間ヒンジ結合部２５，２６を介して基端のガイド２２，２３を中心にして上方に回転しながら折れ曲がる。同時に二つの斜材２１，２１はソケット２７のヒンジ部と下方のガイド２３のヒンジ部とを介して回動し、縦フレーム２０に沿う方向に折り畳まれる。従って、上下の水平フレーム１８，１９の折り畳みと斜材２１，２１の折り畳みに連動して左右の支持フレーム１６，１６が互いに近寄る中央方向にガイドレール１５に沿って移動し、これによりシート１７が収縮する。
【００３４】
【発明の効果】
本発明によれば、次の効果がある。
【００３５】
▲１▼各請求項の発明によれば、オーニング装置全体がガイドレールに沿って一方向に移動できる。又、伸縮駆動機構を介して隣接する二つの支持フレームをガイドレールに沿って移動させることにより支持フレーム間のシートを拡げることができ、又は収縮するることができ、天候，気象条件に応じたシートの展張が可能である。
【００３６】
▲２▼同じく、伸縮駆動機構が縦フレームと二本の水平フレームと二本の斜材とからなるものであってその構造が簡単であり、平行四辺形の原理で伸縮できるから伸縮操作が容易であり、加工性，組付性，経済性にもすぐれている。
【００３７】
▲３▼請求項３の発明によれば、シートがワイヤで支持されるからシートのたるみ、ばた付きが防止される。
【００３８】
▲４▼請求項４の発明によれば、支持フレームに上中下三つのガイド溝を設け、各中間のガイド溝にシートを嵌合させ、上側のガイド溝に水平フレーム側のガイドを挿入し、下側のガイド溝にワイヤの基端側ナットを嵌合させているから、シートと水平フレームとワイヤの取付構造が簡単且つシンプルであり、一体成形が可能であり、加工性，組付性が向上する。
【図面の簡単な説明】
【図１】本発明の一実施の形態に係るオーニング装置の略示す斜視図である。
【図２】図１の一部拡大斜視図である。
【図３】図１の一部拡大斜視図である。
【図４】伸縮駆動機構の拡大平面図である。
【図５】支持フレームに対する水平フレームと斜材との結合状態を示す一部切欠き斜視図である。
【図６】支持フレームに対するワイヤと支持パイプの結合状態を示す一部切欠き斜視図である。
【図７】支持フレームの拡大横断面図である。
【図８】枠組足場とガイドレール部の一部切欠き側面図である。
【図９】枠組足場に対するシート支持フレームの取付構造とシートの取付構造を示す一部横断斜視図である。
【符号の説明】
１５  ガイドレール
１６  支持フレーム
１７  シート
１８，１９  水平フレーム
２０  縦フレーム
２１  斜材
２２，２３  ガイド
２５，２６  結合部
２７  ソケット
Ｓ  伸縮駆動機構
Ｐ  中間
【図１】
0003978629.tif 000002
【図２】
0003978629.tif 000003
【図３】
0003978629.tif 000004
【図４】
0003978629.tif 000005
【図５】
0003978629.tif 000006
【図６】
0003978629.tif 000007
【図７】
0003978629.tif 000008
【図８】
0003978629.tif 000009
【図９】
0003978629.tif 000010